(57)【要約】【課題】  パーソナル携帯端末をカラオケ楽曲の選曲予約用リモコン装置として利用する際に、カラオケ店外等から悪戯等による選曲予約操作が行われないようにして、選曲予約操作が混乱することを防止する。【解決手段】  キーコード発行手段６７によりキーコードを発行する。選曲予約情報送信手段５２により、キーコードを含む選曲管理情報５３ａ及び選曲された楽曲の楽曲ＩＤを中継サーバ２０へ送信し、選曲予約情報転送手段２３によりカラオケ演奏端末３０に転送する。カラオケ演奏端末３０では、予約管理手段６８により、発行されたキーコードと転送されてきたキーコードとを照合し、両者が一致する場合のみに選曲予約を行う。また、キーコード有効時間表示手段５５により、キーコードの有効時間を表示する。【選択図】図１
2014048539.tif 000002
【特許請求の範囲】
【請求項１】
カラオケ楽曲の選曲予約機能を有するパーソナル携帯端末を用いて、カラオケ演奏端末における選曲予約を行うためのカラオケ選曲システムであって、キーコード発行手段と、選曲管理情報表示手段と、選曲管理情報取得手段と、選曲予約情報送信手段と、選曲予約情報転送手段と、予約管理手段と、キーコード有効時間表示手段と、を備え、
前記キーコード発行手段は、前記カラオケ演奏端末と前記パーソナル携帯端末をペアリングさせるためのキーコードを所定の時間間隔で発行し、
前記選曲管理情報表示手段は、前記発行したキーコードと、当該キーコードの有効時間情報と、前記カラオケ演奏端末を識別するための演奏端末ＩＤとからなる選曲管理情報を、表示装置の表示画面に表示し、
前記選曲管理情報取得手段は、前記パーソナル携帯端末において、前記表示された選曲管理情報を取得して所定の記憶領域に記憶し、
前記選曲予約情報送信手段は、前記記憶された選曲管理情報に含まれるキーコード及び演奏端末ＩＤと、当該パーソナル携帯端末の選曲機能により選曲された楽曲の楽曲ＩＤとからなる選曲予約情報を、当該パーソナル携帯端末の通信網を介して中継サーバへ送信し、
前記選曲予約情報転送手段は、前記中継サーバにおいて、受信した任意の選曲予約情報に含まれるキーコード及び楽曲ＩＤを、当該選曲管理情報に含まれる演奏端末ＩＤを有するカラオケ演奏端末に転送し、
前記予約管理手段は、前記カラオケ演奏端末において、前記発行したキーコードと、前記受信したキーコードとを照合して、両者が一致した場合には、当該受信した楽曲ＩＤに基づく選曲予約を行い、両者が一致しない場合には、当該受信した楽曲ＩＤに基づく選曲予約を行わず、
前記キーコード有効時間表示手段は、前記パーソナル携帯端末において、当該パーソナル携帯端末のカレンダー機能にて管理している現在時刻情報から、前記選曲管理情報に含まれる有効時間情報に基づいて求められるキーコードの有効期限時刻までの残時間情報を表示する、
ことを特徴とするパーソナル携帯端末を用いたカラオケ選曲システム。
【発明の詳細な説明】
【技術分野】
【０００１】
本発明は、カラオケ利用に際して選曲を行うためのカラオケ選曲システムに関するものであり、特に、利用者が所有するパーソナル携帯端末を用いて選曲を行うことが可能なカラオケ選曲システムに関するものである。
【背景技術】
【０００２】
近年、パーソナル携帯端末、特に携帯電話が多機能化され、様々なウェブサイトの閲覧や、コンテンツのダウンロードを行うことができるようになってきた。また、このようなパーソナル携帯端末の普及はめざましく、一人一台を所有していると言っても過言ではない。
【０００３】
ところで、現在普及しているカラオケ演奏端末では、選曲予約を行う際に専用のリモコン装置を利用しているが、アプリケーションソフトをインストールすることにより種々のリモコン装置として使用することが可能なパーソナル携帯端末も開発されている（例えば、特許文献１、特許文献２参照）。
【０００４】
特許文献１に記載された技術は、予めサーバからネットワーク経由で、照明器具操作用のアプリケーションソフトをダウンロードして、当該アプリケーションソフトを携帯端末にインストールすることにより、照明器具の諸設定を行うようにしたものである。
【０００５】
また、特許文献２に記載された技術は、携帯電話機を活用して、従来よりも簡単かつ軽快にリクエスト曲の検索や予約を行えるようにした通信カラオケ演奏端末に関するものであり、携帯電話機は、キーパネル、液晶ディスプレイ、携帯電話網を介して目次サーバと通信する手段、カラオケ演奏端末に向けてＩｒＤＡ信号を送出する手段を備えている。そして、携帯電話機からの発呼に目次サーバが応答して通話状態になると、携帯電話機から利用者の個人ＩＤと個人別目次の検索条件が目次サーバに通知される。目次サーバは、携帯電話機から通知された個人ＩＤ及び検索条件に基づいて該当する個人別目次データを検索し、検索結果である楽曲名と楽曲ＩＤを携帯電話機に伝達する。携帯電話機は受信した楽曲名を一覧表示し、利用者の操作入力により特定された楽曲ＩＤをＩｒＤＡ信号により送出する。
【０００６】
したがって、このような機能を用いることにより、カラオケ利用者は、カラオケ店に備え付けられた専用のリモコン装置を使用することなく、自ら所持しているパーソナル携帯端末を用いて選曲予約操作を行うことができる。特に、多人数でカラオケを楽しんでいる場合には、リモコン装置を使い回す必要がなくなり、利用者が各自所望するタイミングで選曲予約操作を行うことができるという利点がある。
【先行技術文献】
【特許文献】
【０００７】
【特許文献１】特開２０１１−２９０５３号公報
【特許文献２】特開２０００−１４８１６９号公報
【発明の概要】
【発明が解決しようとする課題】
【０００８】
しかしながら、上述した技術は、携帯電話機のようなパーソナル携帯端末の赤外線通信機能を用いて、リモコン装置の機能を発揮させようとするものであり、赤外線通信方式は複数種類が存在する。したがって、パーソナル携帯端末を用いてカラオケ楽曲の選曲予約を行う際には、当該パーソナル携帯端末がカラオケ演奏端末の赤外線通信方式に対応していなければならない。また、赤外線通信機能により選曲予約を行うには、カラオケ演奏端末の赤外線受信装置が、パーソナル携帯端末の赤外線送信装置から発信される赤外線信号を受信することが必要であり、利用者の着座位置によっては赤外線通信を行うことができない場合もある。
【０００９】
ところで、カラオケ演奏端末は、インターネット回線等の通信回線を介して中継サーバと通信することができるようになっている。そこで、パーソナル携帯端末からの選曲予約データを、携帯電話網及びインターネット回線を介してカラオケ演奏端末に送信すれば、赤外線通信機能を用いることなくパーソナル携帯端末を選曲予約用のリモコン装置として使用することができる。
【００１０】
すなわち、パーソナル携帯端末が使用している携帯電話網を介してのデータ通信機能により、カラオケ楽曲の選曲予約を行うことが考えられる。具体的には、パーソナル携帯端末を用いてモバイルサイトにアクセスし、所定のカラオケ演奏端末に対応する選曲用アプリケーションソフトをダウンロードし、この選曲用アプリケーションソフトを当該パーソナル携帯端末にインストールする。そして、必要なデータ（例えば、ＩＰアドレス、演奏端末ＩＤ、パーソナル携帯端末のＵＤＩＤ（Ｕｎｉｑｕｅ  Ｄｅｖｉｃｅ  Ｉｄｅｎｔｉｆｉｅｒ））を入力することにより、当該パーソナル携帯端末とカラオケ演奏端末とを関連付けて、パーソナル携帯端末を選曲予約用のリモコン装置として使用することができる。
【００１１】
しかしながら、上述したようなパーソナル携帯端末の使い方では、パーソナル携帯端末とカラオケ演奏端末とが関連付けられたままの状態（ログイン状態）で、パーソナル携帯端末がカラオケ店外へ持ち出されると、カラオケ店外においても選曲予約が可能となってしまう。この状態で、悪戯等によりカラオケ店外から選曲予約が行われると、正規にカラオケ演奏端末を利用している利用者の選曲予約が混乱してしまう。
【００１２】
本発明は、上述した事情に鑑み提案されたもので、パーソナル携帯端末をカラオケ楽曲の選曲予約用リモコン装置として利用する際に、カラオケ店外等から悪戯等による選曲予約操作が行われないようにして、選曲予約操作が混乱することを防止可能なシステムを提供することを目的とする。
【課題を解決するための手段】
【００１３】
本発明のパーソナル携帯端末を用いたカラオケ選曲システムは、上述した目的を達成するため、以下の特徴点を有している。すなわち、本発明のパーソナル携帯端末を用いたカラオケ選曲システムは、キーコード発行手段と、選曲管理情報表示手段と、選曲管理情報取得手段と、選曲予約情報送信手段と、選曲予約情報転送手段と、予約管理手段とを備えたことを特徴とするものである。
【００１４】
キーコード発行手段は、カラオケ演奏端末とパーソナル携帯端末をペアリングさせるためのキーコードを所定の時間間隔（例えば、２０分毎）に発行するための手段である。選曲管理情報表示手段は、発行したキーコードと、当該キーコードの有効時間情報（例えば、発行時刻から２０分経過後の時刻／発行時刻とキーコードの発行間隔時間）と、カラオケ演奏端末を識別するための演奏端末ＩＤとからなる選曲管理情報（キーコード、有効時間情報、演奏端末ＩＤ）を、表示装置の表示画面に表示するための手段である。この際、選曲管理情報を２次元バーコード化して表示することにより、パーソナル携帯端末のバーコード読み取り機能を用いて選曲管理情報を読み込むことができる。
【００１５】
選曲管理情報取得手段（例えば、バーコードリーダ）は、パーソナル携帯端末において、表示された選曲管理情報（キーコード、有効時間情報、演奏端末ＩＤ）を取得して所定の記憶領域（例えば、メモリ）に記憶するための手段である。
【００１６】
選曲予約情報送信手段は、所定の記憶領域に記憶された選曲管理情報に含まれるキーコード及び演奏端末ＩＤと、当該パーソナル携帯端末の選曲機能により選曲された楽曲の楽曲ＩＤとからなる選曲予約情報（キーコード、演奏端末ＩＤ、楽曲ＩＤ）を、当該パーソナル携帯端末の通信網を介して中継サーバへ送信するための手段である。選曲予約情報転送手段は、中継サーバにおいて、受信した任意の選曲予約情報（キーコード、演奏端末ＩＤ、楽曲ＩＤ）に含まれるキーコード及び楽曲ＩＤを、当該選曲管理情報（キーコード、演奏端末ＩＤ、楽曲ＩＤ）に含まれる演奏端末ＩＤを有するカラオケ演奏端末に転送するための手段である。
【００１７】
予約管理手段は、カラオケ演奏端末において、発行したキーコードと、受信したキーコードとを照合して、両者が一致した場合には、当該受信した楽曲ＩＤに基づく選曲予約を行い、両者が一致しない場合には、当該受信した楽曲ＩＤに基づく選曲予約を行わない機能を発揮するための手段である。
【００１８】
キーコード有効時間表示手段は、パーソナル携帯端末において、当該パーソナル携帯端末のカレンダー機能にて管理している現在時刻情報から、選曲管理情報（キーコード、有効時間情報、演奏端末ＩＤ）に含まれる有効時間情報に基づいて求められるキーコードの有効期限時刻までの残時間情報を表示するための手段である。
【００１９】
このような構成からなるカラオケ選曲システムでは、予めパーソナル携帯端末を用いてモバイルＷＷＷサーバにアクセスし、所定のカラオケ演奏端末に対応する選曲用アプリケーションソフトをダウンロードし、この選曲用アプリケーションソフトを当該パーソナル携帯端末にインストールする。そして、パーソナル携帯端末を用いて選曲予約を行うために、キーコード発行手段の機能により、所定時間が経過する毎に、パーソナル携帯端末を用いた選曲予約を許可するためのキーコードを発行し、選曲管理情報表示手段の機能により、発行されたキーコードと、当該キーコードの有効時間情報と、カラオケ演奏端末を識別するための演奏端末ＩＤとからなる選曲管理情報を表示する。具体的には、キーコードは所定時間が経過する毎に更新される。そして、このキーコードと、キーコードの有効時間情報と、演奏端末ＩＤとからなる選曲管理情報を２次元バーコード化して、表示装置の表示画面に表示する。
【００２０】
選曲予約を行おうとする利用者は、パーソナル携帯端末を用いた選曲予約操作において、パーソナル携帯端末のバーコード読取機能を用いて２次元バーコード化された選曲管理情報を読み取らせる。そして、選曲管理情報取得手段の機能により選曲管理情報を取得して、パーソナル携帯端末の記憶領域（例えば、メモリ）に記憶する。また、キーコード有効時間表示手段の機能により、キーコードの有効時間（例えば、キーコードの有効期限が到来するまでの残時間）を表示する。
【００２１】
選曲管理情報が記憶されたパーソナル携帯端末で選曲操作が完了すると、選曲予約情報送信手段の機能により、選曲管理情報と、選曲された楽曲の楽曲ＩＤとを、パーソナル携帯端末の通信網（携帯電話網）を介して中継サーバへ送信する。中継サーバでは、選曲予約情報転送手段の機能により、受信した選曲管理情報に含まれるキーコードと、受信した楽曲ＩＤを、当該選曲管理情報に含まれる演奏端末ＩＤを有するカラオケ演奏端末に転送する。
【００２２】
そして、カラオケ演奏端末では、予約管理手段の機能により、キーコード発行手段で発行されたキーコードと、中継サーバを介して受信したキーコードとを照合する。ここで、両者が一致した場合には、キーコードと共に受信した楽曲ＩＤに基づく選曲予約を行う。一方、両者が一致しない場合には、キーコードと共に受信した楽曲ＩＤに基づく選曲予約を行わない。
【発明の効果】
【００２３】
本発明のパーソナル携帯端末を用いたカラオケ選曲システムによれば、パーソナル携帯端末をカラオケ楽曲の選曲予約用リモコン装置として利用する際に、選曲予約を許可するためのキーコードを所定時間が経過する毎に発行して、このキーコードと共に受信した楽曲ＩＤ以外による選曲予約を許可しないので、有効なキーコードを知ることができない利用者は、パーソナル携帯端末を用いてカラオケ楽曲の選曲予約を行うことができない。したがって、カラオケ店外から悪戯に選曲予約操作を行おうとしても、有効なキーコードを知ることができないので、正規の選曲予約操作が混乱することを防止することが可能となる。
【００２４】
また、所定時間が経過する毎に新たなキーコードを発行する構成としているので、同一のキーコードをいつまでも使い続けることができず、キーコードの秘匿性を高めることが可能となる。
【００２５】
このように、所定時間が経過する毎に新たなキーコードを発行するため、キーコードには有効時間が存在する。したがって、有効時間の終了間際に選曲予約のための楽曲検索を行った場合には、選曲予約情報を送信した時点で、既にキーコードの有効時間が経過しているおそれがある。この場合には、選曲予約情報に有効なキーコードが含まれていないため、選曲予約を行うことができず、改めて選曲予約操作をしなければならない。この点、本発明のパーソナル携帯端末を用いたカラオケ選曲システムによれば、キーコードの有効時間（例えば、キーコードの有効期限が到来するまでの残時間）を表示するので、キーコードの有効時間が終了しそうな場合には、次のキーコードが発行されるまで、選曲予約操作を待てばよく、利用者に余計な手間をかけることがない。
【図面の簡単な説明】
【００２６】
【図１】本発明の実施形態に係るパーソナル携帯端末を用いたカラオケ選曲システムの構成を示すブロック図。
【図２】本発明の実施形態に係るパーソナル携帯端末を用いたカラオケ選曲システムにおける選曲予約判断の手順を示すタイミングチャート。
【図３】本発明の実施形態に係るパーソナル携帯端末を用いたカラオケ選曲システムにおけるキーコードの有効残時間表示の一例を示す模式図。
【発明を実施するための形態】
【００２７】
以下、図面を参照して、本発明のパーソナル携帯端末を用いたカラオケ選曲システムの実施形態について説明する。図１〜図３は本発明の実施形態に係るパーソナル携帯端末を用いたカラオケ選曲システムを示すもので、図１はカラオケ選曲システムの構成を示すブロック図、図２は選曲予約判断の手順を示すタイミングチャート、図３はキーコードの有効残時間表示の一例を示す模式図である。
【００２８】
＜カラオケ選曲システムの概要＞
本発明の実施形態に係るパーソナル携帯端末を用いたカラオケ選曲システム（以下、カラオケ選曲システムと略記する）は、利用者が所有するパーソナル携帯端末を用いて選曲を行うことが可能なシステムであり、任意のカラオケ演奏端末において選曲予約を許可するためのキーコードを所定時間が経過する毎に発行し、選曲予約情報に有効なキーコードが含まれている場合のみに、選曲予約を行うようになっている。また、キーコードを発行する際に、パーソナル携帯端末において、キーコードの発行時刻情報及びペアリングを行うカラオケ演奏端末の演奏端末ＩＤを含んだ選曲管理情報を取得する。そして、パーソナル携帯端末ではキーコードの発行時刻情報に基づいて、当該キーコードの有効時間（例えば、キーコードの有効期限が到来するまでの残時間）を表示する。
【００２９】
なお、以下の説明において、プログラムとは、ＲＡＭ等に記憶され、ＣＰＵ等のハードウェアで実行されることにより、その機能を発揮するソフトウェアだけではなく、同等の機能を発揮することが可能な論理回路も含む概念である。
【００３０】
このカラオケ選曲システム１０は、図１に示すように、キーコード発行手段６７と、選曲管理情報表示手段７１と、選曲管理情報取得手段５１と、選曲予約情報送信手段５２と、選曲予約情報転送手段２３と、予約管理手段６８と、キーコード有効時間表示手段５５を備えている。本実施形態では、キーコード発行手段６７、選曲管理情報表示手段７１、予約管理手段６８は、カラオケ演奏端末３０（カラオケ本体３１）の構成要素となっており、選曲管理情報取得手段５１、選曲予約情報送信手段５２、キーコード有効時間表示手段５５は、パーソナル携帯端末５０の構成要素となっており、選曲予約情報転送手段２３は、中継サーバ２０の構成要素となっている。各手段の機能については、後に詳述する。
【００３１】
＜カラオケ選曲システム＞
本発明の実施形態に係るカラオケ選曲システム１０は、図２に示すように、中継サーバ２０と複数のカラオケ演奏端末３０とが通信ネットワーク（本実施形態では、インターネット４０）を介して相互に接続されている。通信ネットワークは、公衆電話回線、専用電話回線、光通信回線、ＬＡＮ等を用いることができるが、ネットワークに対する第三者の侵入やデータの傍聴及び改竄が困難であるとともに、帯域を独占せずに安価な通信網であるという点で、インターネット４０により構成されるＶＰＮを利用することが好ましい。
【００３２】
＜中継サーバ＞
中継サーバ２０は、図１に示すように、サーバ制御手段２１、送受信手段２２、選曲予約情報転送手段２３を備えている。なお、他の機能を有するサーバに中継サーバ２０の機能を持たせてもよい。
【００３３】
＜サーバ制御手段／送受信手段＞
サーバ制御手段２１は、中継サーバ２０を統括的に制御するための手段であり、ＣＰＵ及びその周辺機器を含んで構成され、ＣＰＵ等がＲＯＭ等に格納されたプログラムに従って動作することにより制御機能を発揮するようになっている。送受信手段２２は、各カラオケ演奏端末３０との間で、カラオケデータ等の各種データの送受信を行うための手段であり、通信ネットワーク（インターネット４０）における通信方式の整合性を保つための通信回路やプログラムにより構成される。
【００３４】
＜選曲予約情報転送手段＞
選曲予約情報転送手段２３は、選曲予約情報送信手段５２から送信されてきた任意の選曲管理情報５３ａに含まれるキーコード及び楽曲ＩＤを、当該選曲管理情報５３ａに含まれる演奏端末ＩＤを有するカラオケ演奏端末３０に転送するためのプログラムからなる。
【００３５】
＜カラオケ演奏端末＞
カラオケ演奏端末３０は、図１に示すように、カラオケ本体３１、スピーカ３２、マイクロホン３３、表示装置３４、ミキシングアンプ３５を備えている。なお、本発明の実施形態に係るカラオケ演奏端末３０は、パーソナル携帯端末５０を選曲予約用のリモコン装置として利用するが、パーソナル携帯端末５０を用いない利用者のために、専用のカラオケリモコン装置３６を備えていることが好ましい。また、本実施形態では、カラオケリモコン装置３６に付帯する入出力表示装置（図示せず）は、選曲管理情報５３ａを表示するための表示装置として機能させてもよい。
【００３６】
＜カラオケ本体＞
カラオケ本体３１は、図１に示すように、ネットワーク送受信手段６１、中央制御手段６２、ＲＯＭ６３、ＲＡＭ６４、ＨＤＤ６５、ローカル送受信手段６６、キーコード発行手段６７、予約管理手段６８、音楽再生制御手段６９、映像再生制御手段７０、選曲管理情報表示手段７１を備えている。
【００３７】
＜中央制御手段＞
中央制御手段６２は、カラオケ本体３１を総合的に制御するための手段であり、例えばＣＰＵ及びその周辺機器により構成されており、ＣＰＵ等がＲＯＭ６３等に記憶されたプログラムに従って動作することにより、制御機能を発揮することができるようになっている。
【００３８】
＜ＲＯＭ／ＲＡＭ＞
ＲＯＭ６３は、カラオケ本体３１を構成する各機器を制御するためのプログラムデータや数値データを記憶するための機器で、例えば半導体メモリ等で構成される。また、ＲＡＭ６４は、プログラムや各種データを一時的に記憶する一時記憶領域として機能するもので、例えば半導体メモリ等で構成される。なお、物理的な半導体メモリによりＲＡＭ６４を構成するのではなく、ハードディスク記憶装置等を用いて仮想的なＲＡＭ６４を構成してもよい。本実施形態では、ＲＡＭ６４に、予約待ち行列６４ａ及びキーコード発行手段６７で発行したキーコード（発行キーコード６４ｂ）が記憶されるようになっている。
【００３９】
＜予約待ち行列＞
予約待ち行列６４ａは、選曲予約されたカラオケ楽曲について、演奏順に楽曲ＩＤを並べて構成したデータテーブルである。なお、予約待ち行列６４ａは、楽曲ＩＤの他に、楽曲名、選曲者等のデータを含んでいてもよい。
【００４０】
＜ＨＤＤ＞
ＨＤＤ６５は、大容量記憶装置として機能するもので、楽曲データベース６５ａ及び映像データベース６５ｂが格納されている。なお、ＨＤＤ６５に替えて、あるいはＨＤＤ６５と共に、データを書き替え可能なＤＶＤ等の大容量記憶装置を用いてもよい。
【００４１】
＜楽曲データベース／映像データベース＞
楽曲データベース６５ａは、演奏制御データ（ＭＩＤＩ規格データ）及び歌詞描出データが同期されて構成される楽曲データについて、楽曲ＩＤと対応付けてそれぞれ構成したデータベースである。演奏制御データは、各楽曲の演奏を制御するためのデジタルデータであり、歌詞描出データは演奏に同期した歌詞文字の表示タイミングデータ及び色変わりデータを含んでいる。映像データベース６５ｂは、演奏されるカラオケ楽曲に対応した背景映像を、当該カラオケ楽曲の楽曲ＩＤに対応させた映像ファイルとして所定数格納したデータである。
【００４２】
＜送受信手段＞
ローカル送受信手段６６は、カラオケ本体３１とカラオケリモコン装置３６との間で、データの送受信を行うための電子回路及びプログラムからなる。本実施形態では、赤外線通信により、カラオケ本体３１とカラオケリモコン装置３６との間でデータの送受信が行われる。ネットワーク送受信手段６１は、カラオケ本体３１と中継サーバ２０との間で、データの送受信を行うための電子回路及びプログラムからなる。
【００４３】
＜キーコード発行手段＞
キーコード発行手段６７は、カラオケ演奏端末３０とパーソナル携帯端末５０をペアリングさせるためのキーコードを所定の時間間隔で発行するためのプログラムからなる。すなわち、キーコードは、所定時間が経過する毎に新たに発行される。キーコードは、例えば、４桁の数字や、これをバーコード化した２次元バーコードからなる。発行したキーコードは、発行キーコード６４ｂとして、ＲＡＭ６４に記憶される。
【００４４】
＜選曲管理情報表示手段＞
選曲管理情報表示手段７１は、発行したキーコードと、当該キーコードの有効時間情報と、カラオケ演奏端末３０を識別するための演奏端末ＩＤとからなる選曲管理情報５３ａを、表示装置３４の表示画面に表示するためのプログラムからなる。すなわち、選曲管理情報表示手段７１は、例えば、４桁の数字からなるキーコードと、当該キーコードの発行時刻から発行間隔時間経過後の時刻あるいは発行時刻とキーコードの発行間隔時間と、カラオケ演奏端末３０を識別するための演奏端末ＩＤとからなる選曲管理情報５３ａを２次元バーコード化して、表示装置３４の表示画面に表示する。なお、選曲管理情報５３ａを表示する表示装置３４は、カラオケ楽曲に関連した背景映像や歌詞テロップ等を表示するための表示装置３４であってもよいし、カラオケリモコン装置３６に付帯した入出力表示装置（図示せず）であってもよい。また、表示装置３４の表示画面に選曲管理情報５３ａを表示する際に、選曲管理情報５３ａを所定のアルゴリズムで暗号化し、所定桁数の数字として表示してもよい。
【００４５】
＜予約管理手段＞
予約管理手段６８は、選曲予約が許可された楽曲の楽曲ＩＤを演奏順に並べて予約待ち行列６４ａを生成し、この予約待ち行列６４ａをＲＡＭ６４に格納して管理するためのプログラムからなる。また、カラオケリモコン装置３６により選曲予約が行われた場合には、予約管理手段６８は、利用者によりカラオケリモコン装置３６の選曲機能を用いて選曲された楽曲の楽曲ＩＤを演奏順に並べて予約待ち行列６４ａを生成する。
【００４６】
また、本実施形態の予約管理手段６８は、発行したキーコード（発行キーコード６４ｂ）と、受信したキーコード（入力キーコード）とを照合して、両者が一致した場合には、当該受信した楽曲ＩＤに基づく選曲予約を行い、両者が一致しない場合には、当該受信した楽曲ＩＤに基づく選曲予約を行わない機能を有している。
【００４７】
＜音楽再生制御手段＞
音楽再生制御手段６９は、楽曲ＩＤに基づいて楽曲データベース６５ａから抽出された演奏制御データに基づいて、音源データをデジタル再生すると共にアナログ変換してミキシングアンプ３５に出力するための電子回路である。上述したように、ミキシングアンプ３５は、マイクロホン３３から入力された歌唱者の歌唱音声信号と、音楽再生制御手段６９から送出される演奏音声信号とをミキシングすると共に、アンプ機能により増幅してスピーカ３２より出力するための装置である。
【００４８】
＜映像再生制御手段＞
映像再生制御手段７０は、カラオケ楽曲の演奏中に、映像データベース６５ｂから抽出した背景映像データと、楽曲データベース６５ａに含まれる歌詞描出データ（テロップデータ）とを、当該カラオケ楽曲の演奏データに同期させて表示装置３４に出力するためのプログラムからなる。
【００４９】
＜マイクロホン＞
マイクロホン３３は、歌唱音声の入力を行うための装置である。マイクロホン３３から入力された歌唱音声信号はミキシングアンプ３５に入力され、音楽再生制御手段６９から送出される演奏音声信号とミキシングされると共に増幅されてスピーカ３２へ出力される。
【００５０】
＜表示装置＞
表示装置３４は、カラオケ楽曲に関連した背景映像や歌詞テロップ等を表示するための装置で、例えば、液晶ディスプレイ等により構成される。
【００５１】
＜パーソナル携帯端末＞
パーソナル携帯端末５０は、データ通信機能を用いて、モバイルＷＷＷサーバ９０に格納された選曲用アプリケーションソフト９１をダウンロードし、この選曲用アプリケーションソフト９１をインストールすることにより、選曲予約機能を持たせることができる。パーソナル携帯端末５０に選曲用アプリケーションソフト９１をインストールすると、パーソナル携帯端末５０は、楽曲検索手段５４として機能するプログラム、キーコード有効時間表示手段５５として機能するプログラムを備えて選曲を行えるようになる。また、パーソナル携帯端末５０は、選曲管理情報取得手段５１として機能するプログラム、選曲予約情報送信手段５２として機能するプログラム、選曲管理情報５３ａ及び選曲した楽曲の楽曲ＩＤ５３ｂを記憶するためのメモリ５３を備えている。
【００５２】
パーソナル携帯端末５０と携帯電話網８０及びインターネット４０を介して接続されるモバイルＷＷＷサーバ９０には、選曲用アプリケーションソフト９１及び楽曲索引データベース９２が格納されており、パーソナル携帯端末５０が備える楽曲検索手段５４の機能により、楽曲索引データベース９２を参照して楽曲を検索することができる。なお、楽曲索引データベース９２をモバイルＷＷＷサーバ９０に格納するのではなく、パーソナル携帯端末５０にダウンロードして、ローカルで楽曲検索を行ってもよい。
【００５３】
＜楽曲検索手段／楽曲索引データベース＞
楽曲検索手段５４は、利用者の指示に基づき、楽曲索引データベース９２を参照して楽曲を検索するためのプログラムからなる。楽曲索引データベース９２は、カラオケ演奏端末３０で演奏に供されるカラオケ楽曲について、その属性情報を記述したデータベースであり、例えば、楽曲ＩＤ・曲名・歌手名・歌い出し部分の歌詞・流行時期・音楽ジャンル区分・デュエット曲か否かなど、種々の属性情報がこれに含まれている。
【００５４】
＜選曲管理情報取得手段＞
選曲管理情報取得手段５１は、表示装置３４の表示画面に表示された選曲管理情報５３ａを取得して、メモリ５３に記憶するためのプログラムからなる。上述したように、表示装置３４の表示画面には、２次元バーコード化された選曲管理情報５３ａが表示されるので、選曲管理情報取得手段５１は、パーソナル携帯端末５０に付帯したバーコード読取装置（図示せず）を用いて選曲管理情報５３ａを取得することができる。なお、選曲管理情報５３ａが所定桁数の数字からなる場合には、表示装置３４の表示画面を目視した利用者が、パーソナル携帯端末５０に付帯したテンキー等を用いて、当該数字を入力することにより、選曲管理情報５３ａを取得してもよい。
【００５５】
＜選曲予約情報送信手段＞
選曲予約情報送信手段５２は、メモリ５３に記憶された選曲管理情報５３ａに含まれるキーコード及び演奏端末ＩＤと、当該パーソナル携帯端末５０の選曲機能により選曲された楽曲の楽曲ＩＤとからなる選曲予約情報を、当該パーソナル携帯端末５０の通信網（携帯電話網８０及びインターネット４０）を介して中継サーバ２０へ送信するためのプログラムからなる。
【００５６】
＜キーコード有効時間表示手段＞
キーコード有効時間表示手段５５は、パーソナル携帯端末５０のカレンダー機能にて管理している現在時刻情報から、選曲管理情報５３ａに含まれる有効時間情報（例えば、キーコードの発行時刻と当該キーコードの有効期限時刻／キーコード発行時刻とキーコードの発行間隔時間）に基づいて求められるキーコードの有効期限時刻までの残時間情報を表示するためのプログラムからなる。すなわち、パーソナル携帯端末５０は、現在時刻を計時するためのタイマを備えており、このタイマは所定時間毎にＮＴＰ（Ｎｅｔｗｏｒｋ  Ｔｉｍｅ  Ｐｒｏｔｏｃｏｌ）サーバに接続する等して、常にほぼ正確な時刻情報を有している。
【００５７】
同様に、カラオケ演奏端末３０も、現在時刻を計時するためのタイマを備えており、このタイマは所定時間毎にＮＴＰ（Ｎｅｔｗｏｒｋ  Ｔｉｍｅ  Ｐｒｏｔｏｃｏｌ）サーバに接続する等して、常にほぼ正確な時刻情報を有している。したがって、カラオケ演奏端末３０のキーコード発行手段６７でキーコードを発行した時刻情報を取得すると共に、キーコードの有効期限時刻や発行間隔時間（更新間隔時間）を設定することにより、キーコード有効時間表示手段５５において、キーコードの有効残時間を算出して、これを表示装置の表示画面に表示することができる（図３参照）。
【００５８】
また、有効時間を表示する際に、残時間に応じて表示の大きさを変更したり、表示色を変更したりすることが好ましい。すなわち、有効時間が十分にある場合には、目立たない色で小さな表示を行い、有効時間が残り少なくなった場合には、目立つ色で大きな表示を行い、さらに点滅表示等を行ってもよい。
【００５９】
また、パーソナル携帯端末５０を用いて選曲予約を行うアプリケーションソフトを立ち上げている場合には、利用者にキーコードの有効時間を告知するために、有効時間を常時表示することが好ましい。なお、キーコード有効時間表示手段５５は、パーソナル携帯端末５０に選曲用アプリケーションソフト９１をインストールすることにより機能する機能手段である。
【００６０】
＜選曲予約の許可判断＞
次に、図１及び図２を参照して、本実施形態のカラオケ選曲システム１０において、選曲予約の許可判断について説明する。
【００６１】
本実施形態のカラオケ選曲システム１０では、図２に示すように、キーコード発行手段６７の機能により、所定の時間間隔でキーコードを発行する（Ｓ１）。そして、選曲管理情報表示手段７１の機能により、発行したキーコードと、当該キーコードの発行時刻情報と、カラオケ演奏端末３０を識別するための携帯端末識別ＩＤとからなる選曲管理情報５３ａを表示装置３４に表示する（Ｓ２）。
【００６２】
パーソナル携帯端末５０では、選曲管理情報取得手段５１の機能により、表示された選曲管理情報５３ａを取得してメモリ５３に記憶する（Ｓ３）。また、キーコード有効時間表示手段５５の機能により、取得した選曲管理情報５３ａに含まれる有効時間情報に基づいて、キーコードの有効期限時刻までの残時間情報を算出して、入出力表示部（図示せず）に表示する（Ｓ４）。このキーコード有効時間の表示は、例えば図３に示すように、カウントダウン表示とし、入出力表示部（図示せず）に常時表示することが好ましい。
【００６３】
パーソナル携帯端末５０では、楽曲検索手段５４の機能により楽曲検索を行い（Ｓ５）、選曲予約を行う楽曲が指定されると、選曲予約情報送信手段５２の機能により、メモリ５３に記憶された選曲管理情報５３ａと、選曲された楽曲の楽曲ＩＤとを、携帯電話網８０及びインターネット４０を介して、中継サーバ２０に送信する（Ｓ６）。中継サーバ２０では、選曲管理情報５３ａ及び楽曲ＩＤを受信すると（Ｓ７）、選曲予約情報転送手段２３の機能により、選曲管理情報５３ａに含まれるキーコードと、選曲管理情報５３ａと共に受信した楽曲ＩＤとを、受信した選曲管理情報５３ａに含まれる演奏端末ＩＤを有するカラオケ演奏端末３０に転送する（Ｓ８）。
【００６４】
カラオケ演奏端末３０では、キーコードと楽曲ＩＤを受信すると（Ｓ９）予約管理手段６８の機能により、受信したキーコード（入力キーコード）と、発行したキーコード（発行キーコード６４ｂ）とを比較する（Ｓ１０）。ここで、入力キーコードと発行キーコード６４ｂとが一致している場合には、受信した楽曲ＩＤに基づく選曲予約を行う一方、入力キーコードと発行キーコード６４ｂとが一致しない場合には、受信した楽曲ＩＤに基づく選曲予約を行わない。
【００６５】
＜他の実施形態＞
本発明のパーソナル携帯端末５０を用いたカラオケ選曲システム１０及びその周辺装置を構成する機器や手段は上述したものに限定されず、その利用目的に応じて、必要な機器や手段のみの構成としたり、適宜他の機器や手段を付加したりすることができる。また、各手段をそれぞれ別個のものとして構成するのではなく、複数の機能を統合した手段として構成してもよい。
【符号の説明】
【００６６】
１０  カラオケ選曲システム
２０  中継サーバ
２１  サーバ制御手段
２２  送受信手段
２３  選曲予約情報転送手段
３０  カラオケ演奏端末
３１  カラオケ本体
３２  スピーカ
３３  マイクロホン
３４  表示装置
３５  ミキシングアンプ
３６  カラオケリモコン装置
４０  インターネット
５０  パーソナル携帯端末
５１  選曲管理情報取得手段
５２  選曲予約情報送信手段
５３  メモリ
５３ａ  選曲管理情報
５３ｂ  楽曲ＩＤ
５４  楽曲検索手段
５５  キーコード有効時間表示手段
６１  ネットワーク送受信手段
６２  中央制御手段
６３  ＲＯＭ
６４  ＲＡＭ
６４ａ  予約待ち行列
６４ｂ  発行キーコード
６５  ＨＤＤ
６５ａ  楽曲データベース
６５ｂ  映像データベース
６６  ローカル送受信手段
６７  キーコード発行手段
６８  予約管理手段
６９  音楽再生制御手段
７０  映像再生制御手段
７１  選曲管理情報表示手段
８０  携帯電話網
９０  モバイルＷＷＷサーバ
９１  選曲用アプリケーションソフト
９２  楽曲索引データベース
【図１】
2014048539.tif 000003
【図２】
2014048539.tif 000004
【図３】
2014048539.tif 000005